(57)【要約】【課題】車室内会話補助システムの音質を向上する。【解決手段】車室内会話補助システム２０は、車室内に配された少なくとも２つの会話補助装置２１Ａ，２１Ｂの間で、会話を双方向に伝達するように構成された車室内会話補助システム２０であって、会話補助装置２１Ａは、車室内の音声を集音可能なマイクロフォン２２と、マイクロフォン２２と並んで配されるとともに、会話補助装置２１Ｂで集音した音声を出力するように構成されたスピーカ２４と、マイクロフォン２２及びスピーカ２４を車室内側から覆うカバー部材３０と、を備え、カバー部材３０は、マイクロフォン２２を覆う部分とスピーカ２４を覆う部分との間に開口部３５を有する。【選択図】図４
2018176973.tif 000002
【特許請求の範囲】
【請求項１】
車室内に配された少なくとも２つの会話補助装置の間で、会話を双方向に伝達するように構成された車室内会話補助システムであって、
一の前記会話補助装置は、
車室内の音声を集音可能なマイクロフォンと、
前記マイクロフォンと並んで配されるとともに、他の前記会話補助装置で集音した音声を出力するように構成されたスピーカと、
前記マイクロフォン及び前記スピーカを車室内側から覆うカバー部材と、を備え、
前記カバー部材は、前記マイクロフォンを覆う部分と前記スピーカを覆う部分との間に開口部を有することを特徴とする車室内会話補助システム。
【請求項２】
前記一の前記会話補助装置は、車室内における天井面に配され、
前記開口部は、内面のうち車両前側に配された前側内壁面が、車両後方に向かうにつれて車両上方に立ち上がる形状であることを特徴とする請求項１に記載の車室内会話補助システム。
【請求項３】
前記開口部は、前記マイクロフォンを覆う部分の周囲に沿って延設されていることを特徴とする請求項１又は請求項２に記載の車室内会話補助システム。
【請求項４】
前記開口部は、前記マイクロフォンと前記スピーカの並び方向に対して交わる方向に沿って延びる複数のスリットで構成され、前記複数のスリットが千鳥配置されていることを特徴とする請求項１又は請求項２に記載の車室内会話補助システム。
【発明の詳細な説明】
【技術分野】
【０００１】
本発明は、車室内会話補助システムに関する。
【背景技術】
【０００２】
従来、車室内会話支援装置として、下記特許文献１のものが知られている。特許文献１に開示の構成では、車室内会話支援装置は、自動車が装備する後席確認ミラー、音声用マイク、および車載スピーカーを備えて構成されている。そして、この車室内会話支援装置では、音声用マイクが後席確認ミラーの近傍に設置され、車載スピーカーがドライバーの座席（運転席）のヘッドレストに設けられている。
【先行技術文献】
【特許文献】
【０００３】
【特許文献１】特開２０１４−１８１０１５号公報
【発明の概要】
【発明が解決しようとする課題】
【０００４】
ところで、音声用マイク（マイクロフォン）と車載スピーカー（スピーカ）を備えた装置を車室内に複数配して、装置間で会話を双方向に伝達する車室内会話補助システムが考えられる。しかしながら、限られた車室空間内においては、複数の音源からの音声が混在して、車室内会話補助システムの音質が悪化することが懸念される。
【０００５】
本発明は上記のような事情に基づいて完成されたものであって、車室内会話補助システムの音質を向上することを目的とする。
【課題を解決するための手段】
【０００６】
上記課題を解決するために、本発明の車室内会話補助システムは、車室内に配された少なくとも２つの会話補助装置の間で、会話を双方向に伝達するように構成された車室内会話補助システムであって、一の前記会話補助装置は、車室内の音声を集音可能なマイクロフォンと、前記マイクロフォンと並んで配されるとともに、他の前記会話補助装置で集音した音声を出力するように構成されたスピーカと、前記マイクロフォン及び前記スピーカを車室内側から覆うカバー部材と、を備え、前記カバー部材は、前記マイクロフォンを覆う部分と前記スピーカを覆う部分との間に開口部を有する。
【０００７】
本発明によれば、カバー部材のマイクロフォンを覆う部分とスピーカを覆う部分との間に開口部が介在することで、スピーカから出力される音声がカバー部材を振動させて周囲に伝わる際に、マイクロフォン側へと伝わることを抑制することができる。このため、マイクロフォンがカバー部材を介して他の会話補助装置からの音声を集音し、その音声が他の会話補助装置から出力されることを抑制することができ、車室内会話補助システムの音質を向上することができる。
【０００８】
上記構成において、前記一の前記会話補助装置は、車室内における天井面に配され、前記開口部は、内面のうち車両前側に配された前側内壁面が、車両後方に向かうにつれて車両上方に立ち上がる形状であってもよい。
【０００９】
このような構成によれば、開口部の前側内壁面で、一の会話補助装置の車両後方かつ車両下方に搭乗した乗員の視線を遮ることができ、開口部からカバー部材の裏側（マイクロフォン等）が視えることを抑制することができる。このため、開口部を設けたことに起因して、一の会話補助装置の意匠性が損なわれる事態を抑制することができる。
【００１０】
上記構成において、前記開口部は、前記マイクロフォンを覆う部分の周囲に沿って延設されていてもよい。
【００１１】
このような構成によれば、スピーカから出力される音声が、カバー部材において周囲からマイクロフォンを覆う部分へと伝わることを抑制することができる。さらに、開口部で環状の意匠を形成することができ、一の会話補助装置の意匠性を高めることができる。
【００１２】
上記構成において、前記開口部は、前記マイクロフォンと前記スピーカの並び方向に対して交わる方向に沿って延びる複数のスリットで構成され、前記複数のスリットが千鳥配置されていてもよい。
【００１３】
このような構成によれば、例えば、複数のスリットが格子状に配置される構成に比べて、スピーカから出力される音声がマイクロフォンを覆う部分へと伝わることを好適に抑制することができる。さらに、例えば、複数のスリットが配置される範囲に単一の開口部を設ける構成に比べて、開口部を設けたことに起因して、カバー部材が弱体化することを抑制することができる。
【発明の効果】
【００１４】
本発明によれば、車室内会話補助システムの音質を向上することができる。
【図面の簡単な説明】
【００１５】
【図１】実施形態１に係る車室内会話補助システムを搭載した車両を側方から視た模式図
【図２】天井用内装材に配された車室内会話補助システムを示す平面図
【図３】会話補助装置の平面図
【図４】図３のＩＶ−ＩＶ線で切断した会話補助装置の断面図
【図５】実施形態２に係る開口部を示す断面図
【図６】実施形態３に係る会話補助装置の平面図
【図７】図６のＶＩＩ−ＶＩＩ線で切断した開口部を示す断面図
【図８】実施形態４に係る会話補助装置の平面図
【発明を実施するための形態】
【００１６】
＜実施形態１＞
本発明の実施形態１を図１から図４によって説明する。本実施形態では、車両１０に搭載された車室内会話補助システム２０について例示する。各図において、矢印ＦＲ及びＲＲは車両前方及び車両後方をそれぞれ示し、矢印ＩＮ及びＯＵＴは車室内側及び車室外側の各方向をそれぞれ示す。
【００１７】
車両１０は、図１及び図２に示すように、車両前方側から順に前部座席１１、２列目座席１２、及び３列目座席１３からなる、いわゆる３列シートを備えている。また、車両１０は、ルーフパネルの車室内側を覆うとともに、車室の天井面１５Ａを構成する天井用内装材１５を備えている。天井用内装材１５の天井面１５Ａには、会話補助装置２１Ａ，２１Ｂが配されている。
【００１８】
車室内会話補助システム２０は、車室内に配された会話補助装置２１Ａ，２１Ｂの間で、会話を双方向に伝達するように構成されている。なお、本願において、「車室内に配された」とは、会話補助装置２１Ａ，２１Ｂの少なくとも一部（例えば、後述するカバー部材３０）が車室内に露出する態様で配されていることを表し、すべての構成が車室内に配されていなくても構わない。
【００１９】
図２に示すように、会話補助装置２１Ａは、天井用内装材１５の車両前端部において、車幅方向中央部に設けられている。この会話補助装置２１Ａは、前部座席１１の運転席と助手席に着座する乗員の間において、乗員の頭部に対して車両上方かつ前方に位置している。また、会話補助装置２１Ｂは、会話補助装置２１Ａの車両後方において、車幅方向中央部に設けられている。この会話補助装置２１Ｂは、３列目座席１３の進行方向右側の席と進行方向左側の席に着座する乗員の間において、乗員の頭部に対して車両上方かつ前方に位置している。このような構成により、車室内会話補助システム２０は、前部座席１１に着座する乗員と３列目座席１３に着座する乗員との間の会話を相互に聞き取り易くし、離れた位置に着座する乗員同士の会話を補助する機能を果たす。
【００２０】
会話補助装置２１Ａは、図３及び図４に示すように、マイクロフォン２２と、スピーカ２４と、マイクロフォン２２及びスピーカ２４とそれぞれ接続された信号制御基板２６と、これらを一括して覆うカバー部材３０と、を備える。本実施形態では、２つの会話補助装置２１Ａ，２１Ｂは相互に置き換え可能な構成とされており、対応する構成については、一の会話補助装置２１Ａの構成について説明し、特に断りがない限り、他の会話補助装置２１Ｂの構成については説明を省略する。
【００２１】
マイクロフォン２２は、図３に示すように、後述するカバー部材３０のマイクロフォン用孔３１Ａを介して、車室内の音声を集音可能な構成とされている。マイクロフォン２２は、会話補助装置２１Ａにおいて車両前側に配されている。このマイクロフォン２２は、進行方向を向いて着座する乗員の車両前方に位置しており、前部座席１１に着座する乗員の発話を集音するように構成されている。なお、会話補助装置２１Ｂのマイクロフォン２２は、３列目座席１３に着座する乗員の発話を集音するように構成されている。
【００２２】
スピーカ２４は、図３に示すように、後述するカバー部材３０のスピーカ用孔３３Ａを介して、会話補助装置２１Ｂで集音した音声を出力するように構成されている。スピーカ２４は、会話補助装置２１Ａにおいて車両後側、つまりマイクロフォン２２の車両後方に、マイクロフォン２２と車両前後方向に並んで配されている。スピーカ２４は、音声信号を増幅するアンプ（不図示）に接続され、３列目座席１３に着座する乗員の発話を、前部座席１１に着座する乗員の耳付近に向けて拡声するように構成されている。
【００２３】
信号制御基板２６には、図示しないＣＰＵ（Central Processing Unit）やメモリを有したマイコンなどが実装されており、各乗員の発話が明瞭になるように、音声信号に対して所望の音声処理を行う。
【００２４】
カバー部材３０は、図３及び図４に示すように、平面視方形のトレイ状をなし、底部にマイクロフォン２２とスピーカ２４が並んで配されるとともに、これらに重なるようにして信号制御基板２６が収容されている。そして、カバー部材３０は、底部側を車室内側に向ける姿勢で、天井用内装材１５に対して取り付けられている。カバー部材３０は、マイクロフォン２２を覆う部分３１にマイクロフォン用孔３１Ａを有するとともに、スピーカ２４を覆う部分３３に複数のスピーカ用孔３３Ａを有する。
【００２５】
カバー部材３０は、図３及び図４に示すように、マイクロフォン２２を覆う部分３１とスピーカ２４を覆う部分３３との間に開口部３５を有する。開口部３５は、カバー部材３０を貫通する貫通孔とされ、車幅方向（マイクロフォン２２とスピーカ２４が並ぶ方向と交わる方向）に沿って延びるスリット状をなす。開口部３５の長さ寸法は、車幅方向におけるスピーカ２４の寸法より大きく、スピーカ２４の車両前方を全域に亘って遮るようにして配設されている。開口部３５の幅寸法は、カバー部材３０の板厚や開口部３５がカバー部材３０を貫通する角度に応じて、後述するような成形上の制約の受けない程度に小さく設定されている。
【００２６】
開口部３５は、図４に示すように、内面のうち車両前側に配された前側内壁面３５Ａが、車両後方に向かうにつれて車両上方に立ち上がる形状である。つまり、前側内壁面３５Ａは、会話補助装置２１Ａの方（車両前方かつ車両上方）を向く乗員の視線と交わる方向に立ち上がり、乗員からカバー部材３０の内部が視えないように視線を遮るような構成となっている。本実施形態では、前側内壁面３５Ａは、車両後方かつ下方を向く傾斜面とされ、前部座席１１に着座する乗員の頭部の方を向いている。
【００２７】
開口部３５は、図４に示すように、カバー部材３０の底部を車両後方に向かうにつれて車両上方に向けて立ち上がる方向に貫通するようにして形成されている。このような開口部３５は、例えば、カバー部材３０を図４における車室内外方向を型抜き方向とする一対の成形型を用いて成形する際に、双方の成形型から突出する部分を組み合わせることで、アンダーカットを生じることなく成形することができる。なお、マイクロフォン用孔３１Ａ及びスピーカ用孔３３Ａは、カバー部材３０の底部を車室内外方向に貫通するようにして形成されている。
【００２８】
続いて、本実施形態の会話補助装置２１Ａの作用について説明する。会話補助装置２１Ａは、車両１０のアクセサリー電源がオンとされるか、或いは、車室内会話補助システム２０のスタートボタン（不図示）が押されると起動する。そして、３列目座席１３に着座する乗員が発話した場合には、会話補助装置２１Ｂのマイクロフォン２２がその音声を集音する。集音された音声は、信号制御基板２６等を経て音声処理された後に、会話補助装置２１Ａのスピーカ２４から出力され、前部座席１１に着座する乗員の耳に届く。
【００２９】
この際、スピーカ２４からの出力音によりカバー部材３０が振動する。このような振動は、固体音としてカバー部材３０を介して周囲に伝わるが、カバー部材３０におけるスピーカ２４を覆う部分３３からマイクロフォン２２を覆う部分３１へと向かう振動は、開口部３５（その内部の空気）が介在することにより減衰又は遮断される。このため、会話補助装置２１Ａのマイクロフォン２２が、カバー部材３０を伝わる振動により、３列目座席１３に着座する乗員からの音声を集音し難くなっている。また、本実施形態では、開口部３５がカバー部材３０の厚さ方向に対して交わる方向に貫通するから、開口部がカバー部材３０の厚さ方向に貫通する場合に比べて、開口部３５の内面の面積が大きくなるとともに、内面（前側内壁面３５Ａ）が車室外方に向かって進行する音を遮るような姿勢となっている。このため、開口部３５内の空気を伝搬して、意図せずカバー部材３０内に進入する空気音は開口部３５で減衰される。これらの結果、会話補助装置２１Ａのマイクロフォン２２が、前部座席１１に着座する乗員の発話以外のノイズを集音することを抑制することができ、会話補助装置２１Ｂのスピーカ２４からは前部座席１１に着座する乗員の発話が明瞭に出力される。
【００３０】
続いて、本実施形態の会話補助装置２１Ａの効果について説明する。本実施形態によれば、カバー部材３０のマイクロフォン２２を覆う部分３１とスピーカ２４を覆う部分３３との間に開口部３５が介在することで、スピーカ２４から出力される音声がカバー部材３０を振動させて周囲に伝わる際に、マイクロフォン２２側へと伝わることを抑制することができる。このため、マイクロフォン２２がカバー部材３０を介して他の会話補助装置２１Ｂからの音声を集音し、その音声が他の会話補助装置２１Ｂから出力されることを抑制することができ、車室内会話補助システム２０の音質を向上することができる。
【００３１】
また、本実施形態では、開口部３５の前側内壁面３５Ａで、会話補助装置２１Ａの車両後方かつ車両下方に搭乗した乗員の視線を遮ることができ、開口部３５からカバー部材３０の裏側（マイクロフォン等）が視えることを抑制することができる。このため、開口部３５を設けたことに起因して、会話補助装置２１Ａの意匠性が損なわれる事態を抑制することができる。
【００３２】
＜実施形態２＞
本発明の実施形態２を図５によって説明する。本実施形態の会話補助装置１２１Ａは、上記した実施形態とは内面の形状が異なる開口部１３５を有するカバー部材１３０を備える。なお、上記した実施形態と同様の構造、作用及び効果について重複する説明は省略する。
【００３３】
開口部１３５は、内面のうち車両前側に配された前側内壁面１３５Ａが、車両後方に向かうにつれて車両上方に、段階的に立ち上がる形状である。開口部１３５は、カバー部材１３０の底部を車両後方に向かうにつれて車両上方に向けて立ち上がる方向に貫通するようにして形成されている。このような開口部１３５は、例えば、カバー部材１３０を図５における車室内外方向を型抜き方向とする一対の成形型を用いて成形する際に、双方の成形型から突出する部分を組み合わせることで、アンダーカットを生じることなく成形することができる。
【００３４】
本実施形態によれば、アンダーカットを生じることなく開口部１３５を成形した場合であっても、車両前後方向において開口部１３５のスピーカ２４側の口縁（その車室内側の部分）を、マイクロフォン２２側の口縁における車室外側の部分の位置まで延長することができる。この結果、より一層好適に、開口部１３５からカバー部材１３０の裏側（マイクロフォン２２等）が視えることを抑制することができ、開口部１３５を設けたことに起因して、会話補助装置１２１Ａの意匠性が損なわれる事態を抑制することができる。
【００３５】
＜実施形態３＞
本発明の実施形態３を図６及び図７によって説明する。本実施形態の会話補助装置２２１Ａは、上記した実施形態とは形状が異なる開口部２３５を有するカバー部材２３０を備える。なお、上記した実施形態と同様の構造、作用及び効果について重複する説明は省略する。
【００３６】
開口部２３５は、マイクロフォン２２を覆う部分３１の周囲に沿って延設されている。具体的には、開口部２３５は、平面視にてマイクロフォン２２を囲む方形環の４つの辺部に沿って形成され、４つの角部には開口部２３５を模した溝２３７が凹設されている。また、開口部２３５の口縁には、マイクロフォン２２側において、カバー部材２３０の底部から車室外側に向けて立ち上がる立壁部２３９が設けられている。
【００３７】
本実施形態によれば、スピーカ２４から出力される音声が、カバー部材２３０において周囲からマイクロフォン２２を覆う部分３１へと伝わることを抑制することができる。さらに、開口部２３５で環状の意匠を形成することができ、会話補助装置２２１Ａの意匠性を高めることができる。
【００３８】
さらに、本実施形態によれば、前側内壁面３５Ａ及び立壁部２３９で、会話補助装置２２１Ａの車両後方かつ車両下方に搭乗した乗員の視線を遮ることができ、開口部２３５からカバー部材２３０の裏側（マイクロフォン等）が視えることを抑制することができる。このため、開口部２３５を設けたことに起因して、会話補助装置２２１Ａの意匠性が損なわれる事態を抑制することができる。
【００３９】
＜実施形態４＞
本発明の実施形態４を図８によって説明する。本実施形態の会話補助装置３２１Ａは、上記した実施形態とは形状が異なる開口部３３５を有するカバー部材３３０を備える。なお、上記した実施形態と同様の構造、作用及び効果について重複する説明は省略する。
【００４０】
開口部３３５は、車幅方向（マイクロフォン２２とスピーカ２４の並び方向に対して交わる方向）に沿って延びる複数のスリット３３６で構成され、複数のスリット３３６が千鳥配置されている。具体的には、開口部３３５は、複数スリット３３６で構成される２列のスリット３３６群が、互いの列のスリット３３６とスリット３３６との間をカバーし合うようにして互い違いに配列されている。
【００４１】
本実施形態によれば、例えば、複数のスリットが格子状に配置される構成に比べて、スピーカ２４から出力される音声がマイクロフォン２２を覆う部分３１へと伝わることを好適に抑制することができる。さらに、例えば、複数のスリット３３６が配置される範囲に単一の開口部を設ける構成に比べて、開口部３３５を設けたことに起因して、カバー部材３３０が弱体化することを抑制することができる。
【００４２】
＜他の実施形態＞
本発明は上記記述及び図面によって説明した実施形態に限定されるものではなく、例えば次のような実施形態も本発明の技術的範囲に含まれる。
（１）上記実施形態では、２つの会話補助装置で構成される車室内会話補助システムについて例示したが、車室内会話補助システムは３つ以上の会話補助装置で構成されてもよい。また、２つの会話補助装置は、相互に置き換え可能な構成でなくても構わない。
（２）上記実施形態では、２つの会話補助装置が天井面に配される構成を例示したが、これに限定されない。例えば、会話補助装置は、車両用シートに設けられていてもよく、また、一方の会話補助装置が天井面に配されるとともに、他方の会話補助装置がドアトリムのスピーカを含んで構成されるものであってもよい。
（３）上記実施形態以外にも、マイクロフォンとスピーカの配置構成は適宜設定可能である。また、会話補助装置は、車幅方向両側の座席にそれぞれ指向性を有する２つのマイクロフォン又は／及び２つスピーカを備えていてもよい。
（４）上記実施形態以外にも、カバー部材及び開口部の形状は適宜設定可能である。また、開口部は、カバー部材と同時に形成するもの限られず、カバー部材の成形後に、穴あけ加工等により形成してもよい。また、実施形態１又は実施形態２に係る開口部の内面（前側内壁面）の形状を、実施形態２又は実施形態３に係る開口部に適用しても構わない。
（５）上記実施形態以外にも、車室内会話補助システムの使用態様は適宜変更可能である。
【符号の説明】
【００４３】
２０…車室内会話補助システム、２１Ａ，１２１Ａ，２２１Ａ，３２１Ａ…会話補助装置（一の会話補助装置）、２１Ｂ…会話補助装置（他の会話補助装置）、２２…マイクロフォン、２４…スピーカ、３０，１３０，２３０，３３０…カバー部材、３１…マイクロフォンを覆う部分、３３…スピーカを覆う部分、３５，１３５，２３５，３３５…開口部、３５Ａ，１３５Ａ…前側内壁面、３３６…スリット
【図１】
2018176973.tif 000003
【図２】
2018176973.tif 000004
【図３】
2018176973.tif 000005
【図４】
2018176973.tif 000006
【図５】
2018176973.tif 000007
【図６】
2018176973.tif 000008
【図７】
2018176973.tif 000009
【図８】
2018176973.tif 000010